(57)【要約】【課題】  従来の二次電池等に装着してなる保護カバーに於いては、単に電池に装着し保護を行うという単一機能であった。  その為、例えば電池にて駆動する機器使用時には保護の為のカバーを外し、使用後もそのまま装着しない、また、紛失してしまうといった不具合の解決を目的とする。【解決手段】  保護カバーと機器などに装着される電池より構成され、保護カバー内にはリモコン回路、操作部、信号発光部にて構成され、リモコンを駆動する為の電力を保護カバーに装着する電池より供給しする。  更にその電力を蓄電する機能を持ち、バッテリーの残量表示や時計機能をもたせ機器の設定を行うことを可能とできる。  この時計機能を利用し特に二次電池の保護カバーの場合に保護の為の放電機能を備えること、また、撮影設定情報を記憶しカメラへ送信し設定する機能を有して高機能な保護カバーとして構成することでより使い勝手の良い機器を提供することが出来る。【選択図】  図２
2007328174.tif 000002
【特許請求の範囲】
【請求項１】
電池に装着してなる保護カバーであって、保護カバーには電池に着脱可能な受け部分と、リモコン機能を有すること特徴とする、電池に装着してなる保護カバー。
【請求項２】
電池に装着してなる保護カバーであって、保護カバーには電池に着脱可能な受け部分と、リモコン機能を有し、そのリモコン機能を駆動する為の蓄電機能を有し、保護カバーに装着してなる電池より充電すること特徴とする、電池に装着してなる保護カバー。
【請求項３】
請求項２の電池に装着してなる保護カバーであって、電池に装着されていない状態でのみリモコン機能を有効にすることを特徴とする、電池に装着してなる保護カバー。
【請求項４】
請求項２の電池に装着してなる保護カバーであって、電池に装着されていない状態での電池装着の為の開口部は電池を構成する最小面に対して設け操作しやすいことを特徴とする、電池に装着してなる保護カバー。
【請求項５】
電池に装着してなる保護カバーであって、保護カバーには電池に着脱可能な受け部分と、リモコン機能を有し、そのリモコン機能を駆動する為の電力を保護カバーに装着してなる電池であること特徴とする、電池に装着してなる保護カバー。
【請求項６】
電池に装着してなる保護カバーであって、保護カバーには電池に着脱可能な受け部分と、リモコン機能を有し、保護カバーの装着された電池の残容量を表示すること特徴とする、電池に装着してなる保護カバー。
【請求項７】
電池に装着してなる保護カバーであって、保護カバーには電池に着脱可能な受け部分と、リモコン機能及び時計機能を有すること特徴とする、電池に装着してなる保護カバー。
【請求項８】
請求項７の電池に装着してなる保護カバーであって、リモコン送信により機器の時刻設定を可能とすることを特徴とする、電池に装着してなる保護カバー。
【請求項９】
請求項７の電池に装着してなる保護カバーであって、装着される電池が二次電池であって、電池保護のために一定時間を経過すると電池保護の為の放電を可能とすることを特徴とする、電池に装着してなる保護カバー。
【請求項１０】
請求項９の電池に装着してなる保護カバーであって、電池保護のための放電の状態を表示可能とすることを特徴とする、電池に装着してなる保護カバー。
【請求項１１】
請求項１から請求項９の電池に装着してなる保護カバーであって、装着されている電池の状態を表示することが可能であることを特徴とする、電池に装着してなる保護カバー。
【請求項１２】
請求項１から請求項１１の電池に装着してなる保護カバーであって、撮影設定情報を記憶することが可能であって、機器へ送信可能であることを特徴とする、電池に装着してなる保護カバー。
【請求項１３】
請求項１から請求項１２の電池に装着してなる保護カバーであって、操作部の凸部に対応する凹部を設け重ねたときに不用意な操作がされない事を特徴とする、電池に装着してなる保護カバー。
【発明の詳細な説明】
【技術分野】
【０００１】
本発明は、電池に着脱可能として装着してなる保護カバーの高機能化に関するものである。
【背景技術】
【０００２】
従来の二次電池等に装着してなる保護カバーに於いては、単に電池に装着し保護を行うという単一機能であった。
【０００３】
また、カメラ等の撮像装置に於いては撮影時にリモコンを使用する機会が多い。その為、リモコンも一緒に持ち歩く機会も多い。
【０００４】
カメラ本体の操作部が分離可能なリモコンで構成され、機器携帯時や通常の撮影時には、カメラ本体の操作部として機能を有し、そのリモコンを本体から外しても使用可能で、リモコン内の二次電池を本体電源より充電される提案があった。（特許文献１参照。）。
【特許文献１】特開平07-244329号公報
【発明の開示】
【発明が解決しようとする課題】
【０００５】
従来の二次電池等に装着してなる保護カバーに於いては、単に電池に装着し保護を行うという単一機能であった。
【０００６】
単にカバーであった為、例えば電池にて駆動する機器使用時には保護の為のカバーを外し、使用後もそのまま装着しない、また、紛失してしまうといった不具合あった。
【０００７】
また、カメラ本体の操作部が分離可能なリモコンで構成され、機器携帯時や通常の撮影時には、カメラ本体の操作部として機能を有し、そのリモコンを本体から外しても使用可能で、リモコン内の二次電池を本体電源より充電される提案があった。
【０００８】
この方法では、リモコンを紛失するとカメラの操作が全く出来ないこと。
【０００９】
リモコンとして使用するたびに着脱が必要で使用者にとって煩雑といった不具合があった。
【００１０】
本発明は、これらの課題を解決する事を目的とする。
【課題を解決するための手段】
【００１１】
前記目的を達成するために、本発明による保護カバーは、カメラ等で使用する電池と保護カバーから構成され、電池からの電力で駆動するリモコン回路と信号発光部、操作部から構成される。
【００１２】
更にその電力を蓄電する機能を持ち、バッテリーの残量表示や時計機能をもたせカメラへの設定を行うことができる。
【００１３】
また、撮影設定情報を記憶しカメラへ送信し設定する機能を有して高機能な保護カバーとして構成する。
【発明の効果】
【００１４】
本発明による保護カバーによれば、リモコンの機能を持たせることで、例えば電池にて駆動する機器使用時に外した保護カバーが機能を持ち、使用後も装着し紛失してしまうといった事を防ぐことが可能となる。
【００１５】
更に保護カバー内にも蓄電機能を持って二次電池からの電力での充電が可能であり、二次電池が無い時にも操作しやすい形状で構成する事も可能である。
【００１６】
また電池の残量表示や時計機能を付加し機器の時計設定ができるもの、一定期間が過ぎたら保護の為電流を消費することが可能で更に使用時にその情報を表示をさせる事も可能となる。
【００１７】
また、機器の設定情報を記憶することが出来るものやその情報を機器に送信し設定ができるものも同様に可能となる。
【００１８】
また、複数個の場合に積み重ねる際にキー反対面にキー逃げ形状を構成する事も可能である。
【００１９】
本発明に拠れば、保護カバーにリモコンの機能を持たせ、保護カバー内にも蓄電機能を持って二次電池からの電力での充電や電池が無い時にも操作しやすい形状で構成する事。
【００２０】
また残量表示や時計機能及び機器の設定機能、電池保護、複数個の場合に積み重ねる際にキー反対面にキー逃げ形状を構成する事が出来るようになることでより使い勝手の良い機器とすることが可能となる。
【発明を実施するための最良の形態】
【００２１】
（実施例１）
図１は従来の保護カバーと電池の概略を示す図であり、保護カバー10を電池11に装着し使用する。
【００２２】
保護カバーとしての単機能である為、電池11にて駆動する機器使用時に外したままで、使用後も装着をしないことや、紛失してしまうといった事があった。
【００２３】
図２は本実施例の概略を示す図であり、図２に於いて保護カバー20を電池21に装着し使用する。
【００２４】
保護カバー20は操作部22、発光部23、ここでは図示しない回路、蓄電部、電池接点などで構成されている。
【００２５】
保護カバーには従来例同様に電池21を装着可能である。
【００２６】
本実施例では保護カバー20は上ケース20a、下ケース20bからなり、回路、発光部等をはさみ込む形で構成されている。
【００２７】
図３は本実施例の三面図であり、電池21の装着部に端子31a、31b、31cを有し電池との接続を行っている。この電池装着部は本実施例に於いては直方体の電池を構成する最小面の形状に合わせている。
【００２８】
こうする事で電池がない状態で有っても操作に支障の無い形態を採る事が可能となる。
【００２９】
図４は本実施例の保護カバーの断面を示す図であり、図４において保護カバーは上ケース40a、下ケース40bから構成されている。
【００３０】
FPC44には発光部43や回路、蓄電部を実装し上ケース40aに組込むことで構成する。
【００３１】
更に、下ケース40bを超音波溶着して組立てる。その後操作部42を接着にて構成される。
【００３２】
拡大図45部に示すように矢印の方向に操作すると操作部42の46部に塗布した導電体とFPC44パターン部47が接触し回路が構成され発光部43より信号を送信する。
【００３３】
図５は本実施例の保護カバーの断面を示す図であり、図５において保護カバー50に凸部52a、52bを設け二点鎖線で示す電池51を固定することが可能となっている。
【００３４】
発光部53、端子ユニット54、リモコン制御IC55、充電制御IC56、二次電池57、実装部品58は全てFPC59に実装され保護カバー50に取り付けられてリモコンとしての構成が可能となる。
【００３５】
図６は本実施例の保護カバーと電池の構成を示す図である。
【００３６】
保護カバー60は操作部62、信号発光部63、制御回路64、二次電池65、電源制御部66から構成され、電池61は二次電池67、保護回路68から構成される。
【００３７】
保護カバー60に電池61を装着すると、電池61内の二次電池67は保護回路68を経由し保護カバー60内の回路に電力を供給する。
【００３８】
保護カバー60内の電源制御部では電池61より受けた電力をリモコン機能駆動の為と二次電池65の充電の為に制御し送る。
【００３９】
更に、運搬時などに不用意に操作部62に力が加わり想定外の電力消費を避ける為、制御回路64と電源制御部66にて電池61の接続が切れた場合のみ操作部62が有効にする構成も考えられる。
【００４０】
また、同様の構成を採り、二次電池65を持たずに電池61の電力のみで駆動させる構成とすることも可能である。
【００４１】
更に図示しない時計機能、メモリを制御回路64に付加する事で、カメラの時計設定や撮影条件の設定を行うことが可能となる。
【００４２】
時計機能を有することで、特に電池61が二次電池の場合に満充電放置による電池の劣化を防止する為一定期間使用しない場合に電池61から放電を行い保護を行うことが可能となる。
【００４３】
ユーザーに対しては信号発光部のLEDより電池の残容量を知らせることが可能であり、万一保護の為の放電がされても事前に知ることができる。
【００４４】
更にこの機能を用いて電池残容量表示を行うなど使い勝手の良いものとすることが可能となる。
【図面の簡単な説明】
【００４５】
【図１】従来の電池と保護カバーの外観を示す図
【図２】実施例１の概略を示す図
【図３】実施例１の三面図
【図４】実施例１の構造を示す図
【図５】実施例１の構造を示す図
【図６】保護カバーと電池の構成を示す図
【符号の説明】
【００４６】
10  保護カバー
11  電池
20  保護カバー
20a  上カバー
20b  下カバー
21  電池
22  操作部
23  発光部
31a  端子
31b  端子
31c  端子
40a  上カバー
40b  下カバー
41  電池
42  操作部
43  発光部
44  FPC
45  詳細図
46  操作部
47  FPC
50  保護カバー
51  電池
52a  凸部
52b  凸部
53  発光部
54  端子ユニット
55  リモコン制御IC
56  充電制御IC
57  二次電池
58  実装部品
59  FPC
60  保護カバー
61  電池
62  操作部62
63  発光部
64  制御回路
65  二次電池
66  電源制御部
67  二次電池
68  保護回路
【図１】
2007328174.tif 000003
【図２】
2007328174.tif 000004
【図３】
2007328174.tif 000005
【図４】
2007328174.tif 000006
【図５】
2007328174.tif 000007
【図６】
2007328174.tif 000008